(57)【要約】【課題】表示媒体をセルから溢れ出させながら２つの基板を接着する際に、表示媒体が外周シールを乗り越える時の流動乱れの発生を防止して、表示媒体の充填不具合の発生を顕著に抑制することができる反射型表示装置の製造方法を提供すること。【解決手段】一方の基板の表示領域上、または、他方の基板の表示領域上に、流体状の表示媒体を配置する表示媒体配置工程と、一方の基板の表示領域の外側上、または、他方の基板の表示領域の外側上に、流体状の表示媒体を取り囲む外周シールを配置する外周シール配置工程と、一方の基板の隔壁の頂面に他方の基板を接着する他方基板接着工程と、を備える。他方基板接着工程では、一方の基板と他方の基板とが外周シールを挟み込んだ位置において押圧体により部分的に押圧が開始され、当該押圧体による押圧位置を相対的に移動させることで、一方の基板及び他方の基板が互いに接着される。【選択図】図６
2015161781.tif 000002
【特許請求の範囲】
【請求項１】
少なくとも一方が透光性を有する対向する２枚の基板間に少なくとも１種以上の電気泳動体を含む流体状の表示媒体が封入されていて、前記２枚の基板間に所定の電界が与えられる際に情報を表示する、反射型表示装置、を製造する方法であって、
一方の基板の表示領域に隔壁を形成する隔壁形成工程と、
一方の基板の表示領域上、または、他方の基板の表示領域上に、流体状の表示媒体を配置する表示媒体配置工程と、
一方の基板の表示領域の外側上、または、他方の基板の表示領域の外側上に、流体状の表示媒体を取り囲む外周シールを配置する外周シール配置工程と、
前記一方の基板の前記隔壁の頂面に前記他方の基板を接着する他方基板接着工程と、
を備え、
前記他方基板接着工程では、前記一方の基板と前記他方の基板とが前記外周シールを挟み込んだ位置において押圧体により部分的に押圧が開始され、当該押圧体による押圧位置を前記一方の基板及び前記他方の基板に対して相対的に移動させることで、前記一方の基板及び前記他方の基板が互いに接着される
ことを特徴とする反射型表示装置の製造方法。
【請求項２】
前記他方基板接着工程では、押圧が開始された後であって押圧位置が相対的に移動される前において、前記押圧体が前記一方の基板または前記他方の基板に接触する領域と前記外周シールを挟み込んだ位置とが、前記一方の基板から前記他方の基板に向かう方向に見て、重なっている
ことを特徴とする請求項２に記載の反射型表示装置の製造方法。
【請求項３】
前記外周シールは、矩形状に配置され、
前記他方基板接着工程では、前記一方の基板と前記他方の基板とが前記外周シールの矩形状の１辺を挟み込んだ位置において押圧が開始され、当該押圧位置を前記１辺に対して垂直な方向に相対的に移動させることで、前記一方の基板及び前記他方の基板が互いに接着される
ことを特徴とする請求項１または２に記載の反射型表示装置の製造方法。
【発明の詳細な説明】
【技術分野】
【０００１】
本発明は、電子ペーパー等に応用されている反射型表示装置の製造方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
電気泳動表示装置では、しかし、粒子や粉体の沈降や偏在に起因して、表示の不良、特にコントラストの低下が生じることがある。この現象を防止するべく、上下の電極基板間に隔壁を形成して、電気泳動する粒子や粉体の泳動空間、すなわち移動空間を微小な空間に分割することが採用されている。この微小な空間は、セルあるいは画素と呼ばれている。各セルの中に、電気泳動体を含むインキやガス（表示媒体）が封入されている。例えば特許文献１（特開２００５−２０２２４５号公報）には、そのようなタイプの電気泳動表示装置の従来例が開示されている。
【０００５】
特許文献２（特開２０１１−１６４３００号公報）には、上下基板を接着して電気泳動表示装置としての表示用パネルを製造する製造方法が開示されている。また、本件出願人による特許文献３（特開２０１２−０１３７９０号公報）には、セルを区画する隔壁上にのみ接着剤を塗工し、隔壁と基板との接着を確実にする、電気泳動表示装置の製造方法が開示されている。
【０００６】
一方の基板に設けられた隔壁の頂面と他方の基板とを接着する際、隔壁によって形成されている各セルの中に気泡が入ってしまうことは、表示品質の観点から回避することが強く望まれる。このため、セルの容積を超える表示媒体を予めいずれかの基板上に配置しておいて、２つの基板を接着する（貼り合わせる）接着工程は、流体状の表示媒体をセルから溢れ出させながら実施されている。この点については、例えば特許文献４（特許第２７３３６７９号）に開示がある。
【先行技術文献】
【特許文献】
【０００７】
【特許文献１】特開２００５−２０２２４５号公報
【特許文献２】特開２０１１−１６４３００号公報
【特許文献３】特開２０１２−０１３７９０号公報
【特許文献４】特許第２７３３６７９号
【発明の概要】
【発明が解決しようとする課題】
【０００８】
しかしながら、表示媒体をセルから溢れ出させながら２つの基板を接着する際に、表示媒体の充填不具合が生じてしまう場合がある。具体的には、気泡が混入したり、表示媒体の筋状の充填ムラが生じてしまう場合がある。
【０００９】
本件発明者らは、この原因について鋭意検討した結果、表示媒体をセルから溢れ出させながら２つの基板を接着する際に、外周シールの外側から押圧を開始させていたために、表示媒体が外周シールを乗り越える状況が存在し、その時に発生する流動乱れが、表示媒体の充填不具合を引き起こし易いことを知見した。これは、外周シールと基板との間に挟まれた表示媒体に局所圧力が生じた後、当該局所圧力の開放の際に強い流れが生じることで、表示媒体の成分分布に過剰な変化が生じたり、外周シールとの一部混合が生じたりするためであると考えられる。
【００１０】
本発明は、このような事情に基づいて行われたものであり、その目的は、表示媒体をセルから溢れ出させながら２つの基板を接着する際に、表示媒体が外周シールを乗り越える時の流動乱れの発生を防止して、表示媒体の充填不具合の発生を顕著に抑制することができる反射型表示装置の製造方法を提供することにある。
【課題を解決するための手段】
【００１１】
本発明は、少なくとも一方が透光性を有する対向する２枚の基板間に少なくとも１種以上の電気泳動体を含む流体状の表示媒体が封入されていて、前記２枚の基板間に所定の電界が与えられる際に情報を表示する、反射型表示装置、を製造する方法であって、一方の基板の表示領域にパターンで隔壁を形成する隔壁形成工程と、一方の基板の表示領域上、または、他方の基板の表示領域上に、流体状の表示媒体を配置する表示媒体配置工程と、一方の基板の表示領域の外側上、または、他方の基板の表示領域の外側上に、流体状の表示媒体を取り囲む外周シールを配置する外周シール配置工程と、前記一方の基板の前記隔壁の頂面に前記他方の基板を接着する他方基板接着工程と、を備え、前記他方基板接着工程では、前記一方の基板と前記他方の基板とが前記外周シールを挟み込んだ位置において押圧体により部分的に押圧が開始され、当該押圧体による押圧位置を前記一方の基板及び前記他方の基板に対して相対的に移動させることで、前記一方の基板及び前記他方の基板が互いに接着されることを特徴とする反射型表示装置の製造方法である。
【００１２】
本発明によれば、他方基板接着工程において、一方の基板と他方の基板とが外周シールを挟み込んだ位置において押圧体により部分的に押圧が開始されるため、表示媒体が当該外周シールを乗り越える状況が生じない．従って、表示媒体が当該外周シールを乗り越える時の流動乱れの発生を回避することができる。従って、押圧体による押圧位置を当該外周シールから表示領域内側へと相対的に移動させていけば、当該表示領域内側において前記流動乱れに起因する表示媒体の充填不具合の発生を回避することができる。
【００１３】
好ましくは、前記他方基板接着工程では、押圧が開始された後であって押圧位置が相対的に移動される前において、前記押圧体が前記一方の基板または前記他方の基板に接触する領域と前記外周シールを挟み込んだ位置とが、前記一方の基板から前記他方の基板に向かう方向に見て、重なっている。
【００１４】
また、外周シールは、矩形状に配置されることが一般的である。この場合、他方基板接着工程において、一方の基板と他方の基板とが外周シールの矩形状の１辺を挟み込んだ位置において押圧が開始され、当該押圧位置を前記１辺に対して垂直な方向に相対的に移動させれば、表示媒体が外周シールを乗り越える時の流動乱れの発生を効果的に回避することができる。
【発明の効果】
【００１５】
本発明によれば、他方基板接着工程において、一方の基板と他方の基板とが外周シールを挟み込んだ位置において押圧体により部分的に押圧が開始されるため、表示媒体が当該外周シールを乗り越える状況が生じない．従って、表示媒体が当該外周シールを乗り越える時の流動乱れの発生を回避することができる。
【図面の簡単な説明】
【００１６】
【図１】本発明の一実施の形態による反射型表示装置の製造方法によって製造される反射型表示装置の構成を概略的に示す断面図である。
【図２】本発明の一実施の形態による反射型表示装置の製造方法を概略的に示すフロー図である。
【図３】隔壁形成工程の一例を概略的に示す図である。
【図４】接着層形成工程の一例を概略的に示す図である。
【図５】表示媒体配置工程の一例を概略的に示す図である。
【図６】他方基板接着工程の一例を概略的に示す断面図である。
【図７】表示媒体配置工程の例を説明する図である。
【発明を実施するための形態】
【００１７】
図１は、本発明の一実施の形態による反射型表示装置の製造方法によって製造される反射型表示装置の構成を概略的に示す断面図である。この反射型表示装置は、少なくとも一方が透光性を有しており各々電極が形成されている対向する２枚の基板間１１、１６に少なくとも１種以上の電気応答性材料を含む流体状の表示媒体１３が封入されていて、２枚の基板１１、１６間に所定の電界が与えられる際に所望の表示をするようになっている。表示媒体１３は、外周シール６１によって取り囲まれている。ここで、流体状というのは、気体状と液体状とを含む。
【００１８】
本実施の形態の反射型表示装置は矩形状であり、これに対応して、外周シール６１は矩形状に配置されている（図５参照）。
【００１９】
ここで、本件の明細書及び特許請求の範囲において「透光性」とは、光を透過する性質、という程度の意味である。本実施の形態においては、視認側に配置される基板（一方の基板１１）は、全光透過率が５０％以上、好ましくは８０％以上、さらに好ましくは９０％以上となるような透光性を有している。
【００２０】
図１乃至図７において、一方の基板１１及び他方の基板１６の面上には、各々電極が設けられているが、当該電極の図示は省略されている。本実施の形態においては、一方の基板１１が視認側に配置され、他方の基板１６が非視認側に配置される。
【００２１】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、酸化インジウムスズ（ＩＴＯ）、酸化亜鉛（ＺｎＯ）、酸化スズ（ＳｎＯ）等の透光性を有する電極（透光性電極）を一方の基板１１の少なくとも表示領域６０を覆うように付したものが、典型的に用いられ得る。ここで、「表示領域」とは、反射型表示装置における所望の表示に利用される領域をいう。本実施の形態では、一方の基板１１は、可撓性であるが、剛性であってもよい。ここで、本件の明細書及び特許請求の範囲においては、「可撓性」とは、たわめることの可能な性質、という程度の意味である。また、「剛性」とは、曲げやねじりの力に対する寸法変形が小さい性質、という程度の意味である。
【００２２】
透光性電極は、塗工法や蒸着法等によって形成され得る。透光性電極は、アクティブマトリクス駆動の場合及びセグメント駆動の場合は共通電極として用いられるので、必ずしもパターンが形成されている必要は無く、基板全面が電極であってもよい。一方、パッシブマトリクス駆動の場合、対向する両方の基板はパターン電極である必要があるため、当該透光性電極もストライプなどのパターンで形成される。
【００２３】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネルの重量が重くなり過ぎて取り扱いが不便になるし、コストも高くなるからである。破損しにくく取り扱いが容易である好適な厚みの範囲は、５０μｍ〜３００μｍ程度である。
【００２４】
一方の基板１１は、ロール状でもシート状でもどちらでも適用可能である。
【００２５】
他方の基板１６としては、樹脂フィルム、樹脂板、ガラス、エポキシガラス（ガラエポ）等の基材が用いられ得る。また他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。本実施の形態では、他方の基板１６も、可撓性であるが、剛性であってもよい。
【００２６】
電極としては、セグメント駆動およびパッシブマトリクス駆動の場合はパターン状の電極、また、アクティブマトリクス駆動の場合はＴＦＴ（Ｔｈｉｎ  Ｆｉｌｍ  Ｔｒａｎｓｉｓｔｏｒ）が配置される画素電極が用いられる。
【００２７】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネルの重量が重くなり過ぎて取り扱いが不便になるし、コストも高くなるからである。破損しにくく取り扱いが容易である好適な厚みの範囲は、５０μｍ〜３００μｍ程度である。
【００２８】
他方の基板１６も、ロール状でもシート状でもどちらでも適用可能である。
【００２９】
表示媒体１３を取り囲む外周シール６１は、一方の基板１１上、あるいは、他方の基板１６上に、例えば紫外線硬化樹脂のような接着剤がディスペンサを用いて線幅０．５ｍｍ、高さ５０μｍで矩形状に塗布され、その後に紫外線によって硬化されることで形成されている。紫外線硬化樹脂の他に、熱硬化樹脂、常温硬化樹脂、ヒートシール樹脂等によっても構成可能である。また、外周シール６１は、ディスペンサの他に、各種の印刷法によって、あるいは、熱圧着によって配置可能である。
【００３０】
＜反射型表示装置の製造方法＞
図２は、本発明の一実施の形態による反射型表示装置の製造方法を概略的に示すフロー図である。図３は、隔壁形成工程の一例を概略的に示す図である。図３に示すように、まず、一般には水平方向に載置される一方の基板１１の上面に、例えばフォトリソグラフィ法（紫外線（ＵＶ）照射による露光→現像→焼成）によって、所定のパターンの隔壁１２が形成される（隔壁形成工程：図２の工程（１））。
【００３１】
本実施の形態では、一方の基板１１は視認側に配置されて視認側基板として機能するようになっている。従って、一方の基板１１は透光性を有する必要がある。また、これに対応して、他方の基板１６は非視認側に配置されて非視認側基板として機能するようになっている。一方、隔壁１２は、後述する複数のセルを規定する部材である。例えば、隔壁１２のパターンはハニカム状である。隔壁の高さは、５〜５０μｍ、好ましくは１０〜５０μｍである。セルのサイズは、表示パネルの大きさにもよるが、０．０５〜１ｍｍピッチ、好ましくは０．１〜０．５ｍｍピッチである。もっとも、隔壁１２で形成されるセルの形状は、必ずしも全てのセルで同じでなくてもよい。例えば、ランダムな形状の複数の多角形からなるパターンも採用され得る。
【００３２】
隔壁１２は、紫外線硬化樹脂、熱硬化樹脂、常温硬化樹脂等によって構成可能であり、前述のように、５〜５０μｍの高さに形成されることが好適である。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０〜５０μｍの範囲の高さが好適である。
【００３３】
隔壁１２のパターン形状は、円、格子、ハニカム状（六角形）、その他の多角形など、基本的に任意である。開口率は、７０％以上が好ましく、特に９０％以上が好ましい。高開口率であるほど、表示可能エリアが広くなるため、高コントラストを得ることができる。
【００３４】
隔壁１２の形成方法は、フォトリソグラフィ法の他、エンボス加工などの型転写方法も採用され得る。さらに、メッシュ加工の構造物を隔壁として製造しておいて、それを一方の基板１１に貼り付けるという方法も採用され得る。
【００３５】
次に、隔壁１２上に接着層２２が形成される（接着層形成工程：図２の工程（２））。この接着層形成工程では、例えば転写法や印刷法により、ポリエステル系熱可塑性接着剤のようなヒートシール剤が、１μｍ〜１００μｍの厚みで形成される。好ましくは、１μｍ〜５０μｍの厚みで形成され、特に好ましくは、１μｍ〜２０μｍの厚みで形成される。
【００３６】
転写法として典型的な熱転写法の一例について具体的な説明を補足すれば、図４に示すように、例えばＰＥＴフィルム２１上に２０μｍの厚みでポリエステル系熱可塑性接着剤のようなヒートシール剤を形成した転写シートを用意し、この転写シートのヒートシール剤の面を隔壁１２上に常温で１ｋＰａの圧力でラミネートする。これをヒートシール剤の軟化温度以上の温度である例えば１２０℃に保たれたホットプレート上において１分間加熱し、その後転写シートを剥離する。これにより、隔壁１２上に例えば６μｍ程度の接着層２２が形成される。
【００３７】
隔壁１２とヒートシール剤２２との密着性を上げるために、隔壁１２に紫外線照射やプラズマ処理等により表面処理が施されてもよいし、プライマーが形成されてもよい。あるいは、ヒートシール剤２２の方にシランカップリング剤が添加されてもよい。
【００３８】
次に、隔壁１２が形成される領域（表示領域６０）の外周に沿うように、流体状の表示媒体を取り囲むための外周シール６１が矩形状に配置される（外周シール配置工程：図２の工程（３））。
【００３９】
外周シール６１の配置方法の一例について具体的な説明を補足すれば、当該外周シール６１は、例えば紫外線硬化樹脂のような接着剤を、ディスペンサを用いて線幅０．５ｍｍ、高さ５０μｍで線状に塗布することによって配置される。
【００４０】
図２に戻って、隔壁１２または隔壁１２及び接着層２２で区画された各領域をセルとして、各セルの中に、流体状の表示媒体としての液体状のインキ１３が配置される（表示媒体配置工程：図２の工程（４））。
【００４１】
図５は、表示媒体配置工程の一例を概略的に示す図である。ここでは、（１）ディスペンサ３１あるいはインクジェット、ダイコートからインキ１３が滴下され（インキ滴下工程）、（２）アプリケータ３２あるいはドクターブレード、ドクターナイフ、中央スキージによって面内均一となるようにインキ１３が塗布される（インキ塗布工程）。なお、インキ１３は、後述するように、他方の基板１６上に配置されてもよい。
【００４２】
電気応答性材料としては、電荷粒子材料や液晶材料がある。電荷粒子材料には、白や黒、カラーなどの色づけされた粒子が電場に応答して移動するいわゆる電気泳動材料、または、電場により移動するナノ粒子材料、等がある。一方、液晶材料には、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料、液晶に色素を混合した材料、コレステリック液晶材料、等がある。これら電気応答して光学特性を変化させる材料は、種類を問わずセルに隔離する必要があり、本発明の適用範囲である。
【００４３】
その後、隔壁１２上の接着層２２と、一方の基板１１に対して対向する他方の基板１６とが接着される（他方基板接着工程：図２の工程（５））。これにより、インキ１３が各セル内に封止される。
【００４４】
他方基板接着工程では、接着層２２として塗工されたヒートシール剤を加熱して接着力を得るようになっている。具体的には、図６に示すように、対向する一対の押圧ローラとしてのラミネータ９１によって所定の熱圧着圧力（ラミネート圧力）を付与しながら、ヒートシール剤を周辺からその軟化温度を超える温度にまで加熱して軟化させることによって、インキ１３が充填されている隔壁１２と他方の基板１６とを接着する。
【００４５】
ここで、本実施の形態の他方基板接着工程では、一方の基板１１と他方の基板１６とが外周シール６１の矩形状の１辺を挟み込んだ位置において押圧体により部分的に押圧が開始され、当該押圧位置を相対的に移動させることで、一方の基板１１及び他方の基板１６が互いに接着される。
【００４６】
具体的には、図６（ａ）に示すように、押圧体の一例である一対のラミネータ９１が外周シール６１の矩形状の１辺に対応する上下位置に位置決めされる。そして、図６（ｂ）に示すように、一対のラミネータ９１が対向する基板１１、１６を挟み込んで、ラミネータ９１による対向する基板１１、１６への押圧が開始される。この状態では、一対のラミネータ９１が一方の基板１１及び他方の基板１６に接触する領域Ｃと外周シール６１の矩形状の１辺を挟み込んだ位置Ｓとが、一方の基板１１から他方の基板１６に向かう方向に見て、重なっている。その後、図６（ｃ）に示すように、ラミネータ９１によって一方の基板１１と他方の基板１６とが互いに押圧される押圧位置を移動させることで、インキ１３の余剰分を各セルから溢れ出させながら、対向する基板１１、１６の接着が行われる。そして、図６（ｄ）に示すように、押圧が開始された外周シール６１の１辺に対向する他の１辺をラミネータ９１が越えた後、図６（ｅ）に示すように、一対のラミネータ９１が押圧を開放する。
【００４７】
その後、外周シール６１を硬化する外周シール硬化工程が行われる。具体的には、外周シール６１が配置された領域に対して紫外線が照射され、外周シール６１が硬化される。
【００４８】
その後、図２に示すように、ギロチン、上刃スライド装置、レーザカット装置、レーザーカッター等の断裁装置５１によって所定のサイズに断裁され、所望の反射型表示装置の製造が完了する（断裁工程：図２の工程（６））。
【００４９】
以上のような本実施の形態によれば、他方基板接着工程において、一方の基板１１と他方の基板１６とが外周シール６１の矩形状の１辺を挟み込んだ位置においてラミネータ９１により部分的に押圧が開始されるため、インキ１３が当該外周シール６１の１辺を乗り越える時の流動乱れの発生を原理的に回避することができる。従って、押圧位置を当該外周シール６１の１辺から表示領域内側へと移動させていけば、当該表示領域内側において前記流動乱れに起因するインキの充填不具合の発生を原理的に回避することができる。
【００５０】
以上の実施の形態は、マザー基板から複数の反射型表示装置を製造する場合にも適用可能である。この場合、反射型表示装置の表示領域の各々に対して、図６に示した他方基板接着工程が実施される。すなわち、一対のラミネータ９１の上下動作が、各表示領域毎に実施される。
【００５１】
なお、以上の実施の形態は、原理的に、電気泳動体が荷電粉体で表示媒体が気体である場合にも適用可能である。
【００５２】
また、表示媒体としては、電気的に光学特性を変化させるものに限らず磁気や熱による外場に応答するものであってもよく、すなわち、本発明は原理的に表示媒体の種類によらず適用できる。また、表示媒体配置工程は、図７（ａ）に示すような前述の態様に限定されず、一方の基板１１と他方の基板１６の配置の上下を逆にして、他方の基板１６の表示領域上に表示媒体を配置してもよい（図７（ｂ）参照）。また、表示媒体にある程度の粘性がある（流動性が過度に高くない）ならば隔壁１２が形成された一方の基板の表示領域上に表示媒体を配置する代わりに、一方の基板１１の表示領域に対向配置される予定の他方の基板１６の表示領域上に表示媒体を配置してもよく（図７（ｃ）参照）、一方の基板１１と他方の基板１６の配置の上下を逆にして、一方の基板１１の表示領域上に表示媒体を配置してもよい（図７（ｄ）参照）。
【００５３】
さらに，押圧体は、ラミネータ９１に限定されず、押圧ブレード等も採用可能である。
【００５４】
次に、実際に行われた実施例について説明する。
【００５５】
＜反射型表示装置の実施例＞
＜実施例１＞
一方の基板１１として、３００ｍｍ×４００ｍｍ×厚さ０．１２５ｍｍのＰＥＴフィルム（東洋紡製Ａ４１００）の一方の面に透明電極として酸化インジウムスズ（ＩＴＯ）蒸着膜（厚さ０．２μｍ）が設けられた基板が用意された。透明電極は、スパッタリング、真空蒸着法、ＣＶＤ法などの一般的な成膜方法によって形成され、酸化インジウムスズ（ＩＴＯ）の他に、酸化亜鉛（ＺｎＯ）、酸化スズ（ＳｎＯ）等によっても形成され得る。
【００５６】
次に、当該一方の基板１１に、ネガ型感光性樹脂材料（デュポンＭＲＣドライフィルムレジスト（株）製のドライフィルムレジスト）を３０μｍの厚さにラミネートして１００℃、１分間の条件で加熱し、次いで露光マスクを使用して露光（露光量５００ｍＪ／ｃｍ２  ）し、その後、１％ＫＯＨ水溶液を用いた現像を３０秒行い、２００℃、６０分間の条件で焼成することで、隔壁１２の他方の基板１６側の端部の幅が１５μｍ、セルピッチが３００μｍのハニカム状パターンの隔壁１２が形成された。
【００５７】
次に、ヒートシール剤（東洋紡製バイロン５５０）をＰＥＴフィルム２１上に厚さ１０μｍで形成し、ヒートシール層付きＰＥＴフィルム（転写シート）とし、当該フィルム２１のヒートシール剤を隔壁１２の他方の基板１６側の端部に熱圧着（１３０℃、１ｋＰａ）した後に、当該フィルム２１を隔壁１２から離すことで、隔壁の他方の基板１６側の端部全面にヒートシール層を接着剤２２として形成した（図４参照）。
【００５８】
続いて、一方の基板１１の表示領域６０の外周を囲むように、ディスペンサを用いて紫外線硬化樹脂（スリーボンド社製：アクリル系シール剤３０５２Ｄ）が切れ目なく塗工されて、外周シール６１が線幅１．０ｍｍ、高さ１００μｍで２００ｍｍ×３００ｍｍの長方形状に形成された。
【００５９】
続いて、表示媒体として、以下の成分を有するインキ１３が用いられ、ディスペンサ３１から滴下されて、中央スキージ３２（ニューロング製のスキージ１：ウレタン樹脂製）にてスキージ処理されて、長方形状に形成された外周シール６１内において、各セル内に充填された。
＜インキ成分＞
・電気泳動粒子（二酸化チタン）・・・６０重量部
・分散液                     ・・・４０重量部
【００６０】
次いで、他方の基板１６として、３００ｍｍ×４００ｍｍ×厚さ３８μｍのポリイミドフィルム（帝人デュポン製）に、Ｃｕ電極等の各種電極がパターン状に形成されたものが用いられた。各種電極のパターン形成は、一般的なエッチング法によって形成された。
【００６１】
そして、大気中にて、一方の基板１１の隔壁１２上の接着層２２の上に他方の基板１６を位置合わせして重ね合わせ、ラミネータ９１で一定の熱圧着圧力を付与しつつ隔壁１２内のセル容積を超えるインク１３の余剰分を押し出しながら、一方の基板１１の隔壁１２と他方の基板１６とが密着された。具体的には、図６（ａ）乃至図６（ｅ）に示すように、一方の基板１１と他方の基板１６とが外周シール６１の矩形状の１辺を挟み込んだ位置において押圧が開始され、当該押圧位置を相対的に移動させることで、一方の基板１１及び他方の基板１６が互いに接着された。熱圧着時の温度は、１００℃であった。また、熱圧着圧力は、０．１ＭＰａであった。
【００６２】
以上のようにして得られた表示パネルについて、表示品質を評価したが、極めて良好であった。特に、外周シール６１付近に表示のムラが発生することが無かった。
【００６３】
＜比較例１＞
前記実施例１に対して、他方基板接着工程において、一方の基板１１と他方の基板１６との端縁近傍において押圧が開始され、当該押圧位置を対向する外周シール６１の各辺を乗り越えつつ相対的に移動させることで、一方の基板１１及び他方の基板１６が互いに接着された。その他は同じ工程で、表示パネルを作製した。
【００６４】
このようにして得られた表示パネルについて、表示品質を評価したが、最初にラミネートされた外周シール６１の１辺の近傍において、筋状の表示ムラが発生し、品質が良くなかった。
【符号の説明】
【００６５】
１１  一方の基板
１２  隔壁
１３  インキ（表示媒体）
１６  他方の基板
２２  ヒートシール剤
３１  ディスペンサ
３２  中央スキージ
４１  ディスペンサ
５１  断裁装置
６０  表示領域
６１  外周シール
９１  ラミネータ
【図１】
2015161781.tif 000003
【図２】
2015161781.tif 000004
【図３】
2015161781.tif 000005
【図４】
2015161781.tif 000006
【図５】
2015161781.tif 000007
【図６】
2015161781.tif 000008
【図７】
2015161781.tif 000009